(57)【要約】【課題】袋に物品を出入れする際、物品の汚れを防止し、袋を確実に封口し、容易に開封でき、生鮮食料品等の保冷袋に良好に適用できる。【解決手段】袋体２の上端部に開口部２０２を有し、袋体上部の側面部２０４、２０５に、対向する一対の把手穴２０６、２０７を有する補強シート材１で、この補強シート材１は、シート状基材１０１とこのシート状基材を貼り付けるバインダー層１０２とで少なくとも構成され、シート状基材は上記各側面部の外面から前記開口部で折返して貼付けられ、外側から袋体上部２０３の開口部の少なくとも一部を封止する封口部１０７ａ、１０７ｂと、当該封口部に連続し、各把手穴の周縁形状に応じて設けられた一対の周縁補強部１０８ａ、１０８ｂと、当該周縁補強部に連続し、該周縁補強部の周縁形状に応じた切り取りライン１０９ａ、１０９ｂを有する手提げ穴形成部１１０ａ、１１０ｂを有している。【選択図】  図１
2005059861.tif 000002
【特許請求の範囲】
【請求項１】
袋体の上端部に開口部を有し、袋体上部の各側面部に、対向する一対の手提げ用の把手穴を有する手提げ袋に用いる補強シート材であって、
上記補強シート材は、シート状基材とこのシート状基材を貼り付けるバインダー層とで少なくとも構成されており、
前記シート状基材は、上記袋体の各側面部の外面から前記開口部で折り返して貼り付けられ、外側から袋体上部の開口部の少なくとも一部を封止する封口部と、該封口部に連続し、前記手提げ用の各把手穴の周縁形状に応じて設けられた一対の周縁補強部と、当該周縁補強部に連続し、該周縁補強部の周縁形状に応じた切り取りラインを有する一対の手提げ穴形成部を有する手提げ袋用補強シート材。
【請求項２】
前記バインダー層に更に剥離シートが設けられている請求項１記載の手提げ袋用補強シート材。
【請求項３】
前記シート状基材の少なくとも一方の周縁補強部が、手提げ用の両方の把手穴を通して他方の周縁補強部に折り返して貼り付ける第２折り返し部を有しており、該第２折り返し部の形状に応じて前記手提げ穴形成部の切り取りラインが形成されている請求項１又は２記載の手提げ袋用補強シート材。
【請求項４】
袋体上部の開口部で折り返す前記シート状基材の封口部の折り返し部が、その折り返しラインに沿って点線状の切り込みを有する請求項１〜３のいずれかの項に記載の手提げ袋用補強シート材。
【請求項５】
前記シート状基材における一方の周縁補強部の第２折り返し部が、当該周縁補強部の折り返しラインに沿って点線状の切り込みを有する請求項１〜４のいずれかの項に記載の手提げ袋用補強シート材。
【請求項６】
前記袋体が、断熱シートにより形成されている請求項１〜５のいずれかの項に記載の手提げ袋用補強シート材。
【請求項７】
請求項１〜６のいずれかの項に記載の手提げ袋用補強シート材と、手提げ袋の組み合わせからなる手提げ袋セット。
【請求項８】
袋体の上端部に開口部を有し、袋体の上部の各側面部に、対向する一対の手提げ用の把手穴を有する手提げ袋において、
上記袋体の一方の側面部の外面に請求項１乃至６のいずれかの項に記載の補強シート材が貼り付けられており、
上記補強シート材の残りの開放面の裏面に剥離シートが貼着されていることを特徴とする手提げ袋。
【請求項９】
袋体の一方の側面部の外面に、補強シート材の手提げ穴が袋体の手提げ用の把手穴に一致するように貼り付けられ、残りの開放面の裏面に剥離シートが貼着された当該補強シート材を有する手提げ袋に、
袋体の開口部から物品を入れ、
前記補強シート材の前記剥離シートを剥離し、
当該補強シート材を前記袋体の開口部で折り返し、
袋体の他方の側面部に貼着して、
外側から袋体上部の開口部の少なくとも一部を封止するステップを含み、
補強シート材の手提げ穴形成部を、前記袋体上部の開口部を封止する前又は後にその切り取りラインに沿って切り取って手提げ穴を形成する、
ことを特徴とする手提げ袋の補強方法。
【発明の詳細な説明】
【０００１】
【発明の属する技術分野】
本発明は、手提げ袋、特に手提げ用保冷袋の把手部分の破損を防止するための手提げ袋用補強材、それを用いた手提げ袋および手提げ袋の補強方法に関する。
【０００２】
【従来の技術】
従来、手提げ袋の袋体に設けられた把手穴の周縁部に、袋体の内面側にて離剥紙が仮着された補強用粘着部材を設けた技術が提供されている（公知文献１  第３頁第３欄第３２行〜第４頁第５欄第８行、図２）。これによれば、袋体の内面で上記補強用粘着部材により把手穴を補強しているため、手提げ袋の把手部分の破損を防止でき、また袋体の開口部を閉塞することができると記載されている。
【０００３】
【特許文献１】
特開２００２−１７３１５３号公報
【０００４】
【発明が解決しようとする課題】
しかしながら、前記従来の構成では、補強用粘着部材は袋体の内面に設けられ、しかも剥離紙が仮着された構成であるため、袋に物品を入れる際に物品が剥離紙に接触し、この接触により離剥紙が剥がれ、粘着部材の粘着力が低下し、満足に袋を封口することができないものがあった。
【０００５】
また、補強用粘着部材の粘着力が強い場合は、物品を取り出す際の開封が困難となり、刃物等により袋の切断が必要であった。さらに、物品を出し入れする際に、補強用粘着部材の粘着剤が物品に付着し、物品が汚れることがあった。
【０００６】
特に、手提げ袋が農産物、水産物などの生鮮食料品や冷蔵品乃至冷凍品などを収納する保冷袋である場合、手提げ袋の把手部分の更なる補強と共に、確実な封口状態が得られることが重要である。また保冷袋が、エンボス加工の金属蒸着面を有した表面を持つ積層体の袋体で構成されている場合は、その表面に印刷等を施すことが困難であり、広告や商品表示など効果的な表示することができず、意匠性に欠けるものでもある。
【０００７】
本発明は、前記従来の課題を解決するもので、袋に物品を出し入れする際に、物品がバインダーに接触することを防いで、バインダーの接着力乃至粘着力の低下を防止することができるとともに、物品の汚れを防止し、また袋を確実に封口し、また容易に開封することができ、生鮮食料品や冷蔵品乃至冷凍品等の保冷袋に良好に適用することができる手提げ袋用補強シート材、それを用いた手提げ袋および手提げ袋の補強方法を提供することを目的とする。
【０００８】
【課題を解決するための手段】
前記課題を解決するために、本発明は、袋体の上端部に開口部を有し、袋体上部の各側面部に、対向する一対の手提げ用の把手穴を有する手提げ袋に用いる補強シート材であって、
上記補強シート材は、シート状基材とこのシート状基材を貼り付けるバインダー層とで少なくとも構成されており、
前記シート状基材は、上記各側面部の外面から前記開口部で折り返して貼り付けられ、外側から袋体上部の開口部の少なくとも一部を封止する封口部と、当該封口部に連続し、前記手提げ用の各把手穴の周縁形状に応じて設けられた一対の周縁補強部と、当該周縁補強部に連続し、該周縁補強部の周縁形状に応じた切り取りラインを有する一対の手提げ穴形成部を有する手提げ袋用補強シート材としたものである。
【０００９】
これにより、例えば、袋体の一方の側面部の外面に、補強シート材の手提げ穴形成部が前記袋体の把手穴に一致するように当該補強シート材を貼り付け、貼り付けられた当該補強シート材の切り取りラインから手提げ穴形成部を切り取れば、袋体の把手穴の周縁部を外面において補強シート材の周縁補強部で補強させながら当該補強シート材の手提げ穴を袋体の把手穴に貫通させることができる。
【００１０】
そして更に、当該補強シート材を上記一方の側面部の外面から前記袋体の開口部で折り返し、袋体の他方の側面部の外面に、当該補強シート材の他方の手提げ穴形成部が前記袋体の他方の把手穴に一致するように貼着すれば、袋体の外側から袋体上部の開口部の少なくとも一部を封止することができる。
【００１１】
また更に、他方の側面部の外面に貼着された当該補強シート材の切り取りラインから手提げ穴形成部を切り取れば、袋体の他方の把手穴の周縁部を外面において補強シート材の周縁補強部で補強させながら当該補強シート材の他方の手提げ穴を袋体の他方の把手穴に貫通させることができる。
【００１２】
従って、本発明の補強シート材は、従来の文献１に記載された補強用粘着部材と比較して、袋に物品を出し入れの際に、物品が本発明の補強シート材に接触するということは構造上なくなり、補強シート材に付着されたバインダーの接着力乃至粘着力の低下を防止することができ、また物品の汚れを防止することができる。また、収納された物品の荷重が袋を開封する方向に作用しても、前記文献１に記載された従来の内面貼着型の袋と異なり、その力は構造上作用し難いため、確実な封口状態が得られる。
【００１３】
また、本発明の補強シート材は、袋体の上記各側面部の外面から前記開口部で折り返して貼り付けられ、外側から袋体上部の開口部の少なくとも一部を封止する構成であり、さらに袋体の把手穴の周縁部には前記補強シート材の周縁補強部が外面において貼着されているため、
手提げ袋に投入された物品の荷重が手提げ袋の把手穴の周縁部、特に把手穴の上端側縁部に作用し当該上端側縁部を引き裂く力が発生しても、その力は補強シート材の周縁補強部にて受け止めることができる。
【００１４】
また、このように、手提げ袋用補強材により手提げ穴が補強された手提げ袋であることから、手提げ運搬時における内容物の偏りや重量等による手提げ穴の変形を抑制することもできる。
【００１５】
しかも手提げ袋に投入された物品の荷重は、既述の通り、袋体の上記各側面部を互いに引き離す方向に作用するから、手提げ袋のそれぞれの把手穴の周縁部において単独で前記把手穴の上端側縁部の引裂力を受けることになり易いが、本発明の補強シート材は、既述の通り、袋体の上記各側面部の外面から前記開口部で折り返して貼り付けられているから、袋体の両側面部全体で前記引裂力を受けることが可能となる。
【００１６】
さらに、従来の文献１のものは、袋体の上記各側面部の内面で貼着されていることから、前記の袋体の上記各側面部を互いに引き離す方向に作用して離反し開封され易いが、本発明の補強シート材は、既述の通り、袋体の上記各側面部の外面から前記開口部で折り返して貼り付けられているから、袋体の開口部は確実に封止される。
【００１７】
従って、袋の外部からの空気や水蒸気などの変移による影響を抑制することができるため、特に熱可塑性樹脂発泡シートを用いてこれに金属蒸着層を形成した積層シートの保冷袋の場合では、その保冷効果を損なうことなく十分に向上することができる。
【００１８】
さらに本発明の補強シート材は、バインダー層を剥離シートで被覆し、袋体の外面に貼着する構造であるため、従来の文献１のものと比較して、バインダーの接着力・粘着力を長期に渡って保持することができる。
【００１９】
【発明の実施の形態】
図１は本発明の手提げ袋用補強シート材の一実施形態を示す概略正面、図２は図１におけるＩ−Ｉ線断面図である。図３は同補強シート材を手提げ用の保冷袋に部分貼着した状態を示す手提げ袋の正面図、図４は同補強シート材をさらに折り返して貼着した状態を示す手提げ袋の要部拡大断面図である。
【００２０】
図１乃至図３において、１は本発明の一実施形態に係る補強シート材である。この補強シート材１は、図３及び図４に示すように、袋体２の上端部２０１に開口部２０２を有し、その袋体２の上部２０３の各側面部２０４、２０５に、対向する一対の手提げ用の把手穴２０６、２０７を有する手提げ袋に用いられる。特に、この実施形態に係る手提げ袋は保冷袋であって、断熱シートで構成されている。すなわち、図４に示すように、合成樹脂フィルム層の片面に金属を蒸着せしめた金属蒸着層２０８、２０９に熱可塑性樹脂発泡シート２１０、２１１が熱可塑性樹脂フィルム層（図示せず）を介して加熱融着された積層シート２１２で構成されている。
【００２１】
補強シート材１は、図２に示す様に、シート状基材１０１と、このシート状基材１０１を貼り付けるバインダー層１０２と、バインダー層１０２の裏面に配された剥離シート１０３で構成されている。
【００２２】
この補強シート材１は、図１及び図２に示す通り、シートを２分割するセンター位置１０５に点線状の切り込み１０４が入れられており、ほぼ同じセンター位置１０６において剥離シート１０３が２分割されて剥離シート１０３ａ、１０３ｂとしてバインダー層１０２に貼り付けられている。
【００２３】
また、補強シート材１は、図３及び図４に示すように、上記袋体２の各側面部２０４、２０５の外面から開口部２０２で折り返して貼り付けられ、外側から袋体２の上部の開口部２０２の少なくとも一部を封止する封口部１０７ａ、１０７ｂと、当該各封口部１０７ａ、１０７ｂに連続し、前記手提げ用の各把手穴２０６、２０７の周縁形状に応じて設けられた一対の周縁補強部１０８ａ、１０８ｂと、当該周縁補強部１０８ａ、１０８ｂに連続し、該周縁補強部１０８ａ、１０８ｂの周縁形状に応じた切り取りライン１０９ａ、１０９ｂを有する一対の手提げ穴形成部１１０ａ、１１０ｂが形成されている。なお、図３及び図４において、１１１ａは一方の周縁補強部１０８ａの切り取りライン１０９ａに沿って手提げ穴形成部１１０ａを切り取って形成された手提げ穴であり、１１１ｂは他方の周縁補強部１０８ｂの切り取りライン１０９ｂに沿って手提げ穴形成部１１０ｂを切り取って形成された手提げ穴である。
【００２４】
なお、１１２は、シート状基材１０１の周縁補強部１０８ｂに設けられた第２折り返し部である。第２折り返し部１１２は、図４に示すように、切り取りライン１０９ｂに沿って切り取られて形成された手提げ穴１１１ｂに突出していることから、この第２折り返し部１１２を折り返しライン１１２ａで袋体２の把手穴２０７方向に折り返し、両方の把手穴２０７、２０６を通して、再度、他方の周縁補強部１０８ａに折り返して周縁補強部１０８ａの上に貼り付けることができるようになっている。なお、この第２折り返し部１１２にも、シート状基材１０１の周縁補強部１０８ｂの折り返しライン１１２ａに沿って点線状の切り込み１１３が形成されている。
【００２５】
従って、この補強シート材１を手提げ用の保冷袋に用いる場合は、例えば、剥離シート１０３ａを補強シート材１から剥がし、これを図３に示すように、補強シート材１の手提げ穴形成部１１０ａが保冷袋の袋体２の把手穴２０６の位置にくるように袋体２の側面部２０４の外面に貼り付ける。次に、切り取りライン１０９ａに沿って手提げ穴形成部１１０ａを切り取り、袋体２の把手穴２０６に貫通する手提げ穴１１１ａを形成する。続いて、図３に示すような、剥離シート１０３ｂが貼着されたままの補強シート材１の開放面を、当該剥離シート１０３ｂを剥がしながら、図４に示すように、袋体２の開口部２０２に補強シート材１の点線状の切り込み１０４がくるように袋体２の開口部２０２で折り返し、さらに袋体２の他方の側面部２０３の外面に、当該補強シート材１の他方の手提げ穴形成部１１０ｂが袋体２の他方の把手穴２０７の位置にくるように貼着する。そして、切り取りライン１０９ｂに沿って手提げ穴形成部１１０ｂを切り取って手提げ穴１１１ｂを形成し、切り取られて現れた第２折り返し部１１２を折り返しライン１１２ａに沿って袋体２の把手穴２０７方向に折り返し、両方の把手穴２０７、２０６を通して、再度、他方の周縁補強部１０８ａに折り返して周縁補強部１０８ａの上に貼り付ける。
【００２６】
本実施形態の補強シート材１は、このようにして手提げ用の保冷袋に適用することができるため、袋体２の外側から袋体２上部の開口部２０２の少なくとも一部を封止することができ、さらに袋体２の把手穴２０６、２０７の周縁部には前記補強シート材１の周縁補強部１０８ａ、１０８ｂが外面において貼着されているため、手提げ袋に投入された物品の荷重が手提げ袋の把手穴２０６、２０７の周縁部、特に把手穴２０６の上端側縁部２０６ａに作用し当該上端側縁部を引き裂く力が発生しても、その力は補強シート材１の周縁補強部１０８ａにて受け止めることができる。把手穴２０７の上端側縁部についても同様に補強シート材１の周縁補強部１０８ｂで受け止めることができる。
【００２７】
しかも手提げ袋に投入された物品の荷重は、袋体２の上記各側面部２０４、２０５を互いに引き離す方向に作用するから、手提げ袋のそれぞれの把手穴２０６、２０７の周縁部において単独で前記把手穴２０６、２０７の上端側縁部２０６ａの引裂力を受けることになり易いが、本補強シート材１は、袋体２の上記各側面部２０４、２０５の外側から前記開口部２０２で折り返して貼り付けられているから、袋体２の両側面部２０４、２０５全体で前記引裂力を受けることができるとともに、袋体２の開口部２０２を確実に封止することができる。
【００２８】
さらに本補強シート材１は、特に、第２折り返し部１１２が形成されているので、これを折り返しライン１１２ａに沿って袋体２の把手穴２０７方向に折り返し、両方の把手穴２０７、２０６を通して、再度、他方の周縁補強部１０８ａに折り返して周縁補強部１０８ａの上に貼り付けることができるので、袋体２の開口部２０２での折り返しとあいまって、袋体２の各側面部２０４、２０５が緊密な合わせ面を構成するので、把手穴２０６、２０７が一層補強され、袋体２の開口部２０２の封口が一層確実なものとなる。
【００２９】
また本補強シート材１は、封口後、袋体２の開口部２０２に補強シート材１の点線状の切り込み１０４が位置するため、この切り込み１０４を破ることによって簡単に開封することができる。また、把手穴２０７、２０６を通して封止した第２折り返し部１１２も、その点線状の切り込み１１３を破ることで当該封止を開放することができるため、簡単に開封することができる。
【００３０】
ところで、本補強シート材は、上記の実施形態に限定されるものではない。前記シート状基材としては、たとえば、合成樹脂製フィルム、合成樹脂繊維製シート、パルプ紙、合成紙、合成樹脂加工した紙などを用いることができる。
【００３１】
このようなシート状基材であれば、その表面に印刷を施すことができるため、例えば、農産物、水産物などの物品の提供者や内容などの表示や、図柄、キャラクターなどのデザインを加えることもでき、意匠性に富んだものとすることができる。特に、断熱性を確保するべく、前記シート状基材として、熱可塑性樹脂発泡シートを基材シートとする断熱シートで構成した場合、熱可塑性樹脂発泡シートを基材シートとし、金属蒸着層を表面に配した断熱シートで構成した場合、さらにこれらに加えて金属蒸着層等の表面をエンボス加工する等凹凸面で構成した場合などの、手提げ袋であれば、この手提げ袋に、断熱性を阻害することなく意匠性を与えることができる。
また、このようなシート状基材であれば、水分に対する耐性が向上することから、袋本体からの耐剥離性を向上することができる。
かかる点で、特に袋が保冷袋の場合は好ましい。
【００３２】
点線状の切り込みとしては、補強シート材を切り離すことができればよく、例えば、ミシン目、一点鎖線等のように点や線状に形成された切り込みの組み合わせを用いることができる。
【００３３】
本発明で使用できるバインダーとしては、公知のバインダー、例えばポリビニルアルコール、デキストリン、澱粉等の接着剤やアクリル系、ゴム系、シリコーン系等の粘着剤等を用いることができる。
【００３４】
また本補強シート材は、前記バインダー層に２分割された剥離シートが設けられているが、分割されていない剥離シートや、剥離シートが補強シート材の全部または一部において設けられていない構成も採用することができる。
【００３５】
なお、剥離シートとしては、バインダー層との剥離性を有するものであればよく、例えば、プラスチックシート、紙、紙にプラスチックフィルムをラミネートしたもの等に、シリコン化合物やフッ素化合物等による離型処理をしたものを用いることができる。
【００３６】
本補強シート材は、補強シート材単独で１つの構成体として提供することができるが、本発明の補強シート材と手提げ袋の組み合わせからなる手提げ袋セットとして提供することもできる。
【００３７】
また、独立した補強シート材ではなく、袋体の把手穴に貫通する手提げ穴が設けられた補強シート材が袋体の一方の側面部の外面にすでに貼り付けられており、上記補強シート材の残りの開放面の裏面に剥離紙が貼着されている手提げ袋として提供することもできる。
【００３８】
例えば、袋体の一方の側面部の外面に、補強シート材の手提げ穴が袋体の手提げ用の把手穴に一致するように貼り付けられ、残りの開放面の裏面に剥離紙が貼着された当該補強シート材を有する手提げ袋である。かかる場合、袋体の開口部から物品を入れ、その後、前記補強シート材の前記剥離紙を剥離し、当該補強シート材を前記袋体の開口部で折り返し、袋体の他方の側面部に貼着して、外側から袋体上部の開口部の少なくとも一部を封止するステップを含み、補強シート材の手提げ穴形成部を、前記袋体上部の開口部を封止する前又は後にその切り取りラインに沿って切り取って手提げ穴を形成すれば、手提げ袋の把手穴を良好に補強することができる。前記袋体上部の開口部を封止する前に切り取る場合としては、例えば前記補強シート材の前記剥離シートを剥離する際に、当該剥離シートに手提げ穴形成部を付着させながら切り取りラインに沿って切り取る方法を例示することができる。要するに本発明においては、補強シート材の手提げ穴形成部の切り取りは、袋の開口部を封止する前・後を問わない。
【００３９】
本発明の補強シート材は、手提げ袋であれば適用することができ、紙、合成樹脂シート、断熱シートなど、材質乃至構造は限定されないが、断熱シートで構成された手提げ袋、特に保冷袋は好適に使用できる。
【００４０】
断熱シートとしては、例えば、熱可塑性樹脂発泡シート乃至表面にフィルムを積層した熱可塑性樹脂発泡シート等を用いることができる。
前記熱可塑性樹脂発泡シートとしては、ポリエチレン、ポリスチレン、ハイインパクトポリスチレンまたはポリプロピレン等の熱可塑性樹脂を発泡シート状に成形したものの群から選択される少なくとも一種を用いることが好ましい。
熱可塑性樹脂発泡シートに積層されるフィルムとしては、透明フィルム乃至透明フィルムに金属蒸着層が形成されたフィルム等を用いることができる。
前記透明フィルムとしては，ポリエチレンテレフタレート、ポリブチレンテレフタレート、ポリアミド、ポリカーボネートまたは耐熱性の高いポリプロピレン等の合成樹脂をフィルム状に形成したものの群から選択される少なくとも一種を用いることが好ましい。
【００４１】
透明フィルムに形成される金属蒸着層は、アルミニウム、クロム、ニッケルまたは銅の群から選択される少なくとも一種を用いることが好ましい。
手提げ袋を断熱シートで形成することにより、手提げ袋内部の温度変化を緩和することができる。
【００４２】
また、断熱シートとして、熱可塑性樹脂発泡シートの表面に金属蒸着層が形成されたフィルムを積層したものを用いると、外部からの幅射熱乃至光線を反射により遮断できることから断熱性が向上する。
【００４３】
このように、断熱シートの手提げ袋は断熱性に優れるが、この断熱性を確保するにはできる限り前記構造を保持することが好ましいが、かかる点で、この手提げ袋に本発明の補強シート材を貼着すれば、たとえ脆弱な把手穴の周縁部を持つ断熱シートの手提げ袋であったとしても、袋が本来持つ断熱性を保持しながら、袋体の把手穴の周縁部が格段に補強される。
【００４４】
【実施例】
補強シート材の素材として、厚み２０μｍの２軸延伸ポリプロピレン（ＯＰＰ＃２０）フィルムにアート紙（タック化成株式会社製）が積層されたシート状基材の片面に、アクリル系の粘着剤（ビックテクノス株式会社製）からなるバインダー層を形成し、該バインダー層の表面に剥離紙（タック化成（株）製、商品名：セパレーター）を貼着して得られたシートを用いた。
【００４５】
完結輪転装置を用いて、前記シートを縦１４０ｍｍ、横１６０ｍｍの長方形に切断し、シートの縦方向の中央位置に、横方向に水平な３ｍｍの切り込み部と１ｍｍ幅の連結部が交互に繰り返されたミシン目の切り込みを形成した。
【００４６】
さらに、ミシン目の切り込み部を返して上下に５０ｍｍ移動した点を中央位置として縦３５ｍｍ、横８５ｍｍの略四角状の切り取りラインを形成して補強シート材とした。
【００４７】
手提げ袋の素材として、発泡倍率３０倍のポリエチレンシート（商品名：ライトロン  積水化成品工業株式会社製）の表面に、アルミニウム蒸着層を有する非発泡のポリエチレンテレフタレートフィルム（京都中井商事株式会社製）をラミネート加工・エンボス加工した厚み１ｍｍの断熱シートを用いた。
【００４８】
溶断製袋装置を用いて、前記シートを縦３０ｍｍ、横８０ｍｍの略楕円状の手提げ穴が形成された、縦３００ｍｍ、横２５０ｍｍの略四角状の手提げ袋を形成した。
【００４９】
【発明の効果】
以上のように、本発明によれば、袋内への物品の出し入れの際に、物品とのり剤が接触することがないため、物品が汚れたり、糊剤等のバンインダーの接着力が低下することがない。
【００５０】
また表面がシート状基材の補強シート材であり、しかも補強シート材は袋の外面に貼付けるため、補強シート材表面に印刷等を施すことにより効果的なＰＲなどができ、その表面に意匠性を持たせることができる。
【００５１】
また、本発明の補強シート材であれば、袋体の把手穴の周縁部にかかる力が分散され、袋の耐荷重性が向上する。
【００５２】
さらに、手提げ穴の開口部を確実に封口することができることから、袋の密閉性が向上し、生鮮食料品や冷蔵品乃至冷凍品等の保冷袋として良好に適用することができる。
【００５３】
また、本発明の補強シート材であれば、手提げ用の把手穴付近の補強がさらに強化される。またさらに、既述のような切り取りラインを補強シート材に形成すれば、袋内から物品を取り出す際に袋の開封が容易になる。
【図面の簡単な説明】
【図１】図１は本発明の手提げ袋用補強シート材の一実施形態を示す概略正面である。
【図２】図２は図１におけるＩ−Ｉ線断面図である。
【図３】図３は同補強シート材を手提げ用の保冷袋に部分貼着した状態を示す手提げ袋の正面図である。
【図４】図４は同補強シート材をさらに折り返して貼着した状態を示す手提げ袋の要部拡大断面図である。
【符号の説明】
１          補強シート材
１０１      シート状基材
１０２      バインダー層
１０３      剥離シート
１０４      切り込み
１０５      センター位置
１０６      センター位置
１０７ａ    封口部
１０７ｂ    封口部
１０８ａ    周縁補強部
１０８ｂ    周縁補強部
１０９ａ    切り取りライン
１０９ｂ    切り取りライン
１１０ａ    手提げ穴形成部
１１０ｂ    手提げ穴形成部
１１１ａ    手提げ穴
１１１ｂ    手提げ穴
１１２      第２折り返し部
１１２ａ    折り返しライン
１１３      切り込み
２          袋体
２０１      上端部
２０２      開口部
２０３      上部
２０４      側面部
２０５      側面部
２０６      把手穴
２０７      把手穴
２０８      金属蒸着層
２０９      金属蒸着層
２１０      熱可塑性樹脂発泡シート
２１１      熱可塑性樹脂発泡シート
２１２      積層シート
【図１】
2005059861.tif 000003
【図２】
2005059861.tif 000004
【図３】
2005059861.tif 000005
【図４】
2005059861.tif 000006